(57)【要約】【課題】ＬＦローラーとピンチローラ−でメディアを挟んで搬送するＢＪプリンターにおいて、ピンチローラーとメディアが擦れると静電気が発生する。この状態でＢＪ方式の印字を行うと、インクミストが静電気によりメディア表面に集中して付着し、画像品位を悪化させてしまう。静電気によるこのような障害を防止する。【解決手段】ＬＦローラー２に対してニップ圧をもって対向配置されるピンチローラー３を有する搬送機構と、その近傍にＢＪヘッドによる画像形成部を有するプリンターにおいて、前記ピンチローラー３を保持するベース板を設け、このベース板上に除電部材１０を配置する。除電部材１０はブラシ部１０ａを有し、このブラシ部１０ａ先端をピンチローラー３表面近傍に配置することで、ピンチローラー３表面及びメディア表面の静電気を除去する。【選択図】        図１
2004174914.tif 000002
【特許請求の範囲】
【請求項１】
ＬＦローラーとピンチローラーを一定圧力で対向させ、この間で記録媒体を搬送する、ＢＪプリンターの搬送機構において、記録媒体の表面に接触するピンチローラーをピンチローラーベースにより回転可能に軸支し、かつ該ピンチローラーベース上に除電部材を取り付け固定し、該ピンチローラー表面に帯電した静電気を該除電部材によって放電させることを特徴とする静電ミスト対策装置。
【請求項２】
除電部材ブラシはベース部と導電性を有するブラシ部により構成され、ブラシ部の先端はピンチローラーと一定距離をおいて配置されたことを特徴とする請求項１に記載の静電ミスト対策装置。
【請求項３】
除電部材は、導電性を有するアース板及び圧縮バネにより、固定部材を介してプリンター本体にアース接続されていることを特徴とする請求項１に記載の静電ミスト対策装置。
【発明の詳細な説明】
【０００１】
【発明の属する技術分野】
本発明はＢＪプリンターにおいて、記録媒体の帯電による画像品位の劣化を防止するものである処の、静電ミスト対策装置に関する。
【０００２】
【従来の技術】
従来ＢＪプリント方式を利用して画像形成する場合には、画像を記録させる記録媒体を１対のＬＦローラーとピンチローラーで挟んで搬送しながら、ＢＪヘッドによって記録媒体にインク液滴を飛翔させて行なっていた。
【０００３】
しかしローラー対を用いて記録媒体を搬送すると、その摩擦等で静電気が発生し、記録媒体に電荷が蓄積してしまい，その為ＢＪヘッドからインク液滴を飛翔させる時に発生するインクミストが、その静電気により記録媒体表面の特定部に集中して付着する。
【０００４】
このため画像面にインクミストがスジ状に見えてしまい、画像品位を損なうといった問題が発生していた。
【０００５】
従来ＢＪヘッドを搭載したキャリッジ部に除電手段を設け、キャリッジが記録媒体の表面をスキャンする動作を利用して、記録媒体表面に除電手段を接触させて静電気を除去するものもあった（例えば、下記特許文献１参照。）。
【０００６】
【特許文献１】
特開平７−５７８９０号公報
【０００７】
【発明が解決しようとする課題】
しかしながらこのような方法ではＢＪヘッドからインク飛翔時の液滴の乱れは防止できるが、同時に発生するインクミストは、該除電手段〔除電ブラシ、フレキの一部〕に付着してしまう。時間経過とともに付着量が増加するので、除電手段を介して記録媒体表面にインクの尾引き等を発生させる危険性があった。
【０００８】
本発明は、上述の問題点に着目してなされたものであって、インクミストが静電気によりメディア表面に集中して付着し、画像品位を悪化させてしまう等の、静電気による障害を防止することのできる静電ミスト対策装置の提供を目的としている。
【０００９】
【課題を解決するための手段】
本発明の静電ミスト除去装置は、記録媒体表面に接触しているピンチローラーそのものを除電するもので、その方法としてピンチローラーを回転可能に保持するピンチローラーベースそのものに直接、除電部材を取り付け固定する。また除電部材の一部はブラシ状になっており、その毛先をピンチローラーから若干離して固定する。
【００１０】
このような構成なので、ピンチローラーの静電気は除電ブラシの先端に空中放電して除去され、かつ時間経過により、除電ブラシにインクミストが付着しても、ピンチローラーとは直接接触していないので記録媒体表面にインクを転写させることは無い。
【００１１】
上記構成を、改めて以下（１）〜（３）に整理して示す。
【００１２】
（１）ＬＦローラーとピンチローラーを一定圧力で対向させ、この間で記録媒体を搬送する、ＢＪプリンターの搬送機構において、記録媒体の表面に接触するピンチローラーをピンチローラーベースにより回転可能に軸支し、かつ該ピンチローラーベース上に除電部材を取り付け固定し、該ピンチローラー表面に帯電した静電気を該除電部材によって放電させることを特徴とする静電ミスト対策装置。
【００１３】
（２）除電部材ブラシはベース部と導電性を有するブラシ部により構成され、ブラシ部の先端はピンチローラーと一定距離をおいて配置されたことを特徴とする上記（１）に記載の静電ミスト対策装置。
【００１４】
（３）除電部材は、導電性を有するアース板及び圧縮バネにより、固定部材を介してプリンター本体にアース接続されていることを特徴とする上記（１）に記載の静電ミスト対策装置。
【００１５】
【発明の実施の形態】
以下に本発明の実施の形態を、実施例に基づいて図面を参照しながら説明する。
【００１６】
【実施例】
図７は従来例の問題発生状況を示す断面図であり、記録媒体１０１はＬＦローラー１０２とピンチローラー１０３に一定圧ではさまれている。不図示の駆動源により、ＬＦローラー１０２が矢印方向へ回転することで、記録媒体１０１は矢印Ａ方向へ進行する。
【００１７】
１０４はプラテン台、１０５は紙押さえ板であり、その間隔は一定に保たれており、記録媒体１０１の位置を安定させて通紙可能となっている。
【００１８】
１０６はＢＪヘッドであり、不図示の制御回路により印字パルスが加えられるとインク液滴１０７が記録媒体１０１に表面に飛翔し画像を形成する。
【００１９】
この画像形成時、ＢＪヘッド１０６からはインク液滴１０７以外にもさらに細かいインクミスト１０８が放出される。記録媒体１０１が帯電してなければこのインクミスト１０８は雰囲気中に拡散してしまい画像には影響は無い。
【００２０】
しかし記録媒体１０１が乾燥した状態で使用されると、ＬＦローラー１０２とピンチローラー１０３で記録媒体１０１に圧力を加えつつ搬送する為、記録媒体１０１の表面には静電気が発生してしまう。
【００２１】
帯電した記録媒体１０１が紙押さえ板１０５を通過して、ＢＪヘッド１０６の下側に出た状態でＢＪヘッド１０６が画像形成動作を行なうと、この時発生するインクミスト１０８は紙押さえ板１０５の端面に沿って、記録媒体１０１の表面に付着する。
【００２２】
図８は問題発生した印字画像の説明図である。１０１は記録媒体であり、１０１ａはその上面に印字された画像部、１０１ｂは余白又は白地部である。矢印Ａは紙搬送方向である。本来は白色であるべき余白又は白地部１０１ｂにミスト１０８によりスジ状の尾引き１０８ａが付着し、画像品位を悪化させる。
【００２３】
図１は本発明の第１実施例を示すもので、ＢＪプリンターの印字部を示す断面図である。
【００２４】
記録媒体１はＬＦローラー２とピンチローラー３に一定圧ではさまれている。不図示の駆動源により、ＬＦローラー２が矢印方向へ回転することで、記録媒体１は矢印Ａ方向へ進行する。
【００２５】
４はプラテン台、５は紙押さえ板であり、その間隔は一定に保たれており、記録媒体１の位置を安定させて通紙可能となっている。
【００２６】
６はＢＪヘッドであり、不図示の制御回路により印字パルスが加えられるとインク液滴７が記録媒体１に表面に飛翔し画像を形成する。
【００２７】
８はピンチローラーホルダーであり、前記ピンチローラー３を回転可能に軸支している。
【００２８】
図２はピンチローラーホルダー８の平面図であり、図１とあわせて説明する。
【００２９】
ピンチローラーホルダー８は後述する固定板９に回転可能に保持されており、その概略中央部に形成された回転軸部８ａを中心にして回転可能となっている。
【００３０】
かつ中央にはバネ受け突起８ｂも形成されている。また後述する除電部材を取り付ける為のガイド突起８ｃが２箇所設けられている。
【００３１】
１０は除電部材であり、カーボン等で作られたブラシ部１０ａと固定用のベース部１０ｂが一体に形成されている。このブラシ部１０ａの先端は前記ピンチローラー３の表面から若干（１〜２ｍｍ）離れた位置になるようガイド突起８ｃにより位置決めされて固定される。
【００３２】
本構成では除電部材１０を２個で説明したが、数を増して取り付けることでより効果をあげることも可能である。１１は圧縮バネであり、固定板９と前記ピンチローラーホルダー８のバネ受け突起８ｂとの間に配置され、ピンチローラーホルダー８に反時計方向の回転力を与える。その為ピンチローラーホルダー８に取り付けられた、ピンチローラー３はＬＦローラー２に向けて付勢され、一定のニップ圧にて記録媒体１を挟み込むので、ＬＦローラー２回転時には矢印Ａ方向へ記録媒体１を搬送する事が出来る。
【００３３】
図３は固定板９を上面から見た平面図である。固定板９は使用する記録媒体１の幅より概略長く構成されており、切おこしにより前記ピンチローラーホルダー８の回転軸部８ａを回転可能に軸支する立ち曲げ９ａが一体に構成されている。
【００３４】
立ち曲げ９ａが２個でピンチローラーホルダー８が１セット取り付けられる。通常のプリンターではピンチローラーホルダー８が４〜５セット使用される。
【００３５】
本発明は上記のように構成したので、記録媒体１の表面に画像を形成する為に、ＬＦローラー２とピンチローラー３で記録媒体１へ一定の圧力を加えながら搬送動作を行なうときに、ピンチローラー３と記録媒体１の表面が擦れて発生するピンチローラー３表面の静電気電荷は、除電部材１０のブラシ部１０ａのそれぞれの先端に空中放電されて、ピンチローラー３の表面から取り除くことが可能になった。
【００３６】
ピンチローラー３を除電することで、これと接触している記録媒体１の表面の静電気も除電でき、引き続きＢＪヘッド６により記録媒体１への画像形成のためインク液滴７の飛翔が行なわれ、従来例のようにインクミスト１０８が発生しても、記録媒体１の表面に集中して付着する事は無い。
【００３７】
図４は第２の実施例を示すものであり、第１実施例と同機能のものは同一符号で示す。２０は大型除電部材であり、カーボン等で作られたブラシ部２０ａとベース部２０ｂが一体に成形されている。ブラシ部２０ａの幅方向長さは、ピンチローラー３の幅方向長さと概略同じに作られている。またブラシ部２０ａの先端は前記ピンチローラー３の表面から若干（１〜２ｍｍ）離れた位置になるようガイド突起８ｃにより位置決めされて固定される。
【００３８】
このような構成なので、ピンチローラー３全体に渡ってもれなく静電気を除去でき、より効果的な静電気除去が可能となった。
【００３９】
図５，６は第３の実施例を示すものであり、第１実施例と同機能のものは同一番号で示す。３０はアース板であり導電性の材料で作られ、中央部に穴３０ａが設けられておりピンチローラーホルダー８のバネ受け突起８ｂに径合して取り付けられる。また両端にアーム３０ｂを有し、その先端にはコンタクト部３０ｃが各々形成されている。コンタクト部３０ｃは除電部材３１の上面に接触している。
【００４０】
３１は除電部材であり、カーボン等で作られたブラシ部３１ａと固定用のベース部３１ｂが一体に形成されている。このブラシ部３１ａの先端は前記ピンチローラー３の表面から若干（１〜２ｍｍ）離れた位置になるようガイド突起８ｃにより位置決めされて固定される。
【００４１】
また除電部材３１のベース部３１ｂは導電性を有し、ブラシ部３１ａとは電気的にも接続されている。
【００４２】
３２は圧縮バネであり、固定板３３と前記ピンチローラーホルダー８のバネ受け突起８ｂとの間に配置され、ピンチローラーホルダー８に反時計方向の回転力を与える。
【００４３】
また材質は導電性の良いもので作られ、その一端は前記アース板３０と接触し、他端は固定板３３と接触している。固定板３３はやはり導電性を有し、不図示のプリンター本体とアース接続が取れている。
【００４４】
このような構成なので、ピンチローラー３の表面に帯電した静電気の電荷量が多くなっても、除電部材３１、アース板３０、圧縮バネ３２、固定板３３、が全て導電性を有してプリンター本体にアース接続されており、除電部材３１のみに静電気の電荷が貯まることなく放電できる。
【００４５】
【発明の効果】
本発明はヘッド近傍に配置された搬送用ピンチローラーによって発生する静電気をピンチローラー表面から直接除電するものであり、記録媒体表面に発生した静電気により、インクミストが目視確認出来る状態で記録媒体の余白等の白地部に付着するのを防止できる。
【００４６】
またＢＪヘッドでインク液滴を飛翔する際に静電気によってインク液滴の飛翔の乱れが発生するのを防止できる。
【００４７】
また帯電した記録媒体が排紙時に排紙整列性を乱したり、排紙積載が阻害される事も防止できる。
【００４８】
さらに本発明の特徴は除電部材とピンチローラーが、１つのピンチローラーベースに取り付けられており、理想的な位置関係にばらつき無く取り付けられる。さらに除電部材のブラシ部先端はピンチローラー表面から離れた位置にあるため、除電ブラシがミストで汚れても、印字画像を汚す事は無い。
【００４９】
またピンチローラーベースは複数個使用されるが、ピンチローラーと除電部材を含めた１体型ユニット構成となっており、電気的接続も必要ないので組み立て作業性も良い。
【００５０】
また本発明の他の実施例によれば、簡単な構成で除電部材とプリンター本体間の導電性をもたせることが可能であり、大量の静電気が発生しても除電部材に静電気が貯まってしまい、除電性能が落ちるのを防止できる。
【図面の簡単な説明】
【図１】本発明第１実施例を示す断面図
【図２】本発明第１実施例のピンチローラーホルダーの平面図
【図３】本発明固定板ユニットの平面図
【図４】本発明第２実施例のピンチローラーホルダーの平面図
【図５】本発明第３実施例を示す断面図
【図６】本発明第３実施例のピンチローラーホルダーの平面図
【図７】従来例の問題発生を示す断面図
【図８】従来例の問題発生を示す平面図
【符号の説明】
１、１０１  記録媒体
２、１０２  ＬＦローラー
３、１０３  ピンチローラー
４、１０４  プラテン
５、１０５  紙押さえ板
６、１０６  ＢＪヘッド
７、１０７  インク液滴
８  ピンチローラーホルダー
８ａ  回転軸部
８ｂ  バネ受け突起
８ｃ  ガイド突起
９、３３  固定板
９ａ  立ち曲げ
１０、３１  除電部材
１０ａ  ブラシ部
１０ｂ  ベース部
１１、３２  圧縮バネ
２０  大型除電部材
２０ａ  ブラシ部
２０ｂ  ベース部
３０  アース板
３０ａ  穴
３０ｂ  アーム
３０ｃ  コンタクト部
３１  除電部材
３１ａ  ブラシ部
３１ｂ  ベース部
１０１ａ  画像部
１０１ｂ  余白又は白地部
１０８  インクミスト
【図１】
2004174914.tif 000003
【図２】
2004174914.tif 000004
【図３】
2004174914.tif 000005
【図４】
2004174914.tif 000006
【図５】
2004174914.tif 000007
【図６】
2004174914.tif 000008
【図７】
2004174914.tif 000009
【図８】
2004174914.tif 000010